(57)【要約】      （修正有）【課題】デシカントロータを経ないバイパスラインを設置して換気空気の温度を下げると共に、室内の空気を外気空気と混合して除湿することによって、室内空気の質を改善するデシカント除湿器を提供する。【解決手段】冷却コイル２１０とエレミネータ２２０を通過して流入された外気空気１００は、前段でデシカントロータ２３０側とバイパスライン１４０側とに分岐され、デシカントロータ２３０側に分岐された外気空気１００の一部は、パージ区間に位置するデシカントロータ２３０を通過した後、再生加熱器２４０を経由して再生区間が位置するデシカントロータ２３０を通過して排気空気になって排気ファン３１０を通じて排気され、排気空気１３０が流入される経路上に換気空気１１０が別途の経路を通じて流入されて混合される。【選択図】図２
2009047405.tif 000002
【特許請求の範囲】
【請求項１】
外気空気が冷却コイルとエレミネータを通過して流入され、
前記流入された外気空気は、デシカントロータの前段でデシカントロータ側とバイパスライン側とに分岐され、
前記デシカントロータ側に分岐された外気空気は、除湿区間に位置するデシカントロータを通過して除湿され、前記バイパスラインを通過したバイパス空気は、前記デシカントロータの後段でデシカントロータを通過した空気と混合されて給気空気になって給気ファンを通じて給気され、
前記デシカントロータ側に分岐された外気空気の一部は、パージ区間に位置するデシカントロータを通過した後、再生過熱器を経由して再生区間が位置するデシカントロータを通過して排気空気になって排気ファンを通じて排気され、
前記バイパスラインには、別途の経路を通じて換気空気が流入されてバイパスライン側に分岐された外気空気と混合されるようにし、
前記バイパスライン側と前記デシカントロータ側とに分岐される空気流れ経路は、互いに連結ダンパーで連結されるようにしたことを特徴とするデシカント除湿器。
【請求項２】
前記換気空気は、空気フィルタと冷却コイルを通過した後、外気空気と混合されることを特徴とする請求項１に記載のデシカント除湿器。
【請求項３】
前記デシカントロータの前段に除湿器処理ファンがさらに設置され、前記外気空気は、処理ファンを通じて除湿区間及びパージ区間に位置するデシカントロータに流入されるようにすることを特徴とする請求項１又は２のいずれかに記載のデシカント除湿器。
【請求項４】
前記バイパスラインには、バイパス加熱器を設置し、  前記給気ファンの吐出口側には、給気加熱器を設置したことを特徴とする  請求項１又は２のいずれかに記載のデシカント除湿器。
【請求項５】
前記バイパスラインには、加湿器がさらに設置されることを特徴とする請求項４に記載のデシカント除湿器。
【発明の詳細な説明】
【技術分野】
【０００１】
本発明は、デシカント除湿器に関し、より具体的には、バイパス空気を用いて給気空気の温度を下げ、室内の換気空気を外気空気と混合して除湿するデシカント除湿器に関する。
【背景技術】
【０００２】
一般的に、デシカント除湿器は、室内に湿っぽい空気を吸入して冷媒が流れる凝縮器及び蒸発器からなる熱交換機、またはデシカントを通過するようにして湿度を下げた後、除湿された空気を室内に供給することによって、室内の温度を下げる装置である。
【０００３】
このようなデシカント除湿器の一例が特許文献１の大韓民国登録実用新案第３２３０７８号公報（以下、従来技術という）に開示されている。
【０００４】
前記従来技術に開示された技術は、図１に示されたように、給気ファン２３の駆動で外気空気ｉを吸気流領域２１ａに位置する除湿ロータ２１部分に通過させて除湿し、除湿された給気空気ｊを室内に供給する吸気流ｇを形成する一方、排気ファン２５の駆動で再生用外気空気をロータ再生ヒーター２９で加温した後、排気流領域２１ｂに位置する除湿ロータ２１部分に通過させて外気空気ｉを除湿する過程で吸着された水分を除去した後に排出するように吸気流ｇの反対方向に排気流ｈを形成し、モーター３５の駆動で除湿ロータ２１を吸気流領域２１ａから排気流領域２１ｂに向かって回転（ｃ）させるように構成される。このために、除湿ロータ２１の外周に一定のピッチーを有する被動ピーススプロケット（不図示）が設けられ、前記被動ピーススプロケットは、チェーン３９を介してモーター側駆動スプロケット４１に連結される。一方、参照番号２７は、フリーフィルタであり、３０は、隔壁であり、ｋは、高温多湿空気であり、１は、パージ流であり、ｉｉは、パージ空気である。
【０００５】
【特許文献１】大韓民国登録実用新案第３２３０７８号公報
【発明の開示】
【発明が解決しようとする課題】
【０００６】
しかし、前記従来技術では、外気空気だけを除湿するので、室内空気の質が悪くなり、このため、別途の換気乃至排気装置を必要とした。また、室内に供給される給気空気の温度を下げることが困難であるという問題があった。
【０００７】
したがって、本発明の目的は、デシカントロータを経ないバイパスラインを設置して給気空気の温度を下げると共に、室内の空気を外気空気と混合して除湿することによって、室内空気の質を改善するデシカント除湿器を提供することにある。
【課題を解決するための手段】
【０００８】
上記目的を達成するために、本発明の一態様に係るデシカント除湿器は、外気空気が冷却コイルとエレミネータを通過して流入され、流入された外気空気は、シカントロータの前段でデシカントロータ側とバイパスライン側とに分岐され、デシカントロータ側に分岐された外気空気は、除湿区間に位置するデシカントロータを通過して除湿され、バイパスラインを通過したバイパス空気は、デシカントロータの後段でデシカントロータを通過した空気と混合されて給気空気になって給気ファンを通じて給気され、デシカントロータ側に分岐された外気空気の一部は、パージ区間に位置するデシカントロータを通過した後,
再生加熱器を経由して再生区間が位置するデシカントロータを通過して排気空気になって排気ファンを通じて排気され、排気空気が流入される経路上に換気空気が別途の経路を通じて流入されて混合されるようにしたことを特徴とする。
【０００９】
冷却コイルは、第１冷却コイルと第２冷却コイルとからなり、第１冷却コイルと第２冷却コイル間の空気流れ経路上に換気空気が別途の経路を通じて流入されて混合されるようにしたことを特徴とする。
【００１０】
また、本発明の他の態様に係るデシカント除湿器は、外気空気が冷却コイルとエレミネータを通過して流入され、前記流入された外気空気は、デシカントロータの前段でデシカントロータ側とバイパスライン側とに分岐され、前記デシカントロータ側に分岐された外気空気は、除湿区間に位置するデシカントロータを通過して除湿され、前記バイパスラインを通過したバイパス空気は、前記デシカントロータの後段でデシカントロータを通過した空気と混合されて給気空気になって給気  ファンを通じて給気され、デシカントロータ側に分岐された外気空気の一部は、パージ区間に位置するデシカントロータを通過した後、再生過熱器を経由して再生区間が位置するデシカントロータを通過して排気空気になって排気ファンを通じて排気され、バイパスラインには、別途の経路を通じて換気空気が流入されてバイパスライン側に分岐された外気空気と混合されるようにし、バイパスライン側とデシカントロータ側とに分岐される空気流れ経路は、互いに連結ダンパーで連結されるようにしたことを特徴とする。
【００１１】
換気空気は、空気フィルタと冷却コイルを通過した後、外気空気と混合されることを特徴とする。
【００１２】
デシカントロータの前段に除湿器処理ファンがさらに設置され、外気空気は、処理ファンを通じて除湿区間及びパージ区間に位置するデシカントロータに流入されるようにすることを特徴とする。
【００１３】
バイパスラインには、バイパス加熱器を設置し、給気ファンの吐出口側には、給気加熱器を設置したことを特徴とする。
【００１４】
バイパスラインには、加湿器がさらに設置されることを特徴とする。
【発明の効果】
【００１５】
本発明に係るデシカント除湿器によれば、外気空気を除湿する過程でデシカントロータを経ないバイパスラインを設置し、前記バイパスラインを通過したバイパス空気をデシカントロータを通じて除湿された給気空気と混合すると同時に、室内の空気を外気空気と混合して除湿することによって、室内空気の質を改善することができる有用な効果がある。
【００１６】
また、本発明に係るデシカント除湿器によれば、デシカントロータの前段に除湿器処理ファンを設置することによって空気の量を適切に調節し、給気ファン及び再生ファンの負荷を減少させて騒音発生を減少させることができる有用な効果がある。
【００１７】
また、本発明に係るデシカント除湿器によれば、空気の流れ経路上に加熱器や加湿器を設置することによって、冬季に給気空気の温度や湿度を適切に上昇させて室内に供給することができる有用な効果がある。
【発明を実施するための最良の形態】
【００１８】
以下、添付の図面を参照して本発明の好ましい実施例を詳細に説明する。以下の説明においては、図面において同一部分に対して同一符号を付し、その反復説明は省略する。
【実施例１】
【００１９】
（第１実施例）
本発明の第１実施例に係るデシカント除湿器は、図２に示されたように、外気空気の流入及びその量を制御する外気ダンパー４００と、室内空間から流入された換気空気１１０の流入及びその量を制御する換気ダンパー４１０と、空気フィルタ２００と、冷却コイル２１０と、エレミネータ２２０とを備え、また、除湿区間２３０ａ、パージ区間２３０ｂ、再生区間２３０ｃを収容するデシカントロータ２３０と給気ファン３００及び排気ファン３１０を備えて構成される。
【００２０】
具体的に、外部からデシカント除湿器内に流入される外気空気１００は、外気ダンパー４００を介して流入または遮断されたりその流入量を調節することができ、室内空間から流入される換気空気１１０は、換気ダンパー４１０を通じて流入または遮断されたりその流入量を調節することができる。
【００２１】
前述のように流入された外気空気１００と換気空気１１０とは混合され、前記外気ダンパー４００の後段に設置された空気フィルタ２００を経ながら混合された空気に混ぜている塵埃などが濾過されることができるようする。
【００２２】
また、前記空気フィルタ２００の後段に１つ以上の冷却コイル２１０を設置し、冷却能力を向上させることができるようにし、前記冷却コイル２１０の後段にエレミネータ２２０を設置し、外気空気１００が除湿処理され得るようにする。
【００２３】
この時、冷却除湿される空気の量によって冷却コイルの個数及び種類を選択的に使用することができる。
【００２４】
また、エレミネータ２２０には、外気湿度が低い冬季に室内空間の湿度が必要以上に低くなることを防止するために給水装置を連結し、加湿が可能にすることができる。また、春季のように黄砂が激しい場合、給水を通じて空気中の塵埃などを濾過することができるようにする。
【００２５】
また、前記エレミネータ２２０の後段には、デシカントロータ２３０が位置し、前記エレミネータ２２０を通過した空気は、デシカントロータ２３０側とバイパスライン側とに分岐され、前記デシカントロータ２３０側に分岐された空気は、除湿区間２３０ａとパージ区間２３０ｂとにさらに分岐され得るように構成される。
【００２６】
ここで、前記除湿区間２３０ａ：パージ区間２３０ｂ：再生区間２３０ｃの面積比を２〜４：１：１にすれば、再生加熱器の容量を節減するのに好ましい。
【００２７】
前記バイパスラインは、エレミネータ２２０の後段から分岐され、給気ファン３００の前段に連結されるが、この時、バイパスラインを通過するバイパス空気１４０は、デシカントロータ２３０を経ない。また、バイパスラインには、バイパスダンパー４２０を設置し、バイパスラインの風量調節が可能にすることが好ましい。
【００２８】
また、前記除湿区間２３０ａに位置するデシカントロータ２３０を通過した空気は、前記バイパス空気１４０と混合されて給気空気１２０になって給気ファン３００を通じて室内空間に供給されるようになる。
【００２９】
また、前記パージ区間２３０ｂに位置するデシカントロータ２３０を通過した空気は、さらに再生区間２３０ｃに位置するデシカントロータ２３０側に移動し、前記パージ区間２３０ｂと再生区間２３０ｃ間の空気流れ経路上には、再生加熱器２４０が設置される。前記再生区間２３０ｃに位置するデシカントロータ２３０を通過した排気空気１３０は、排気ファン３１０を通じて外部に排気される。
【００３０】
また、図３に示されたように、除湿器の定圧を分散して給気ファン３００及び排気ファン３１０の負荷を減少させるために、デシカントロータ２３０の前段に除湿器処理ファン３２０をさらに設置することによって、騒音発生を減少させることができる。この場合、デシカント除湿器は、室内でも使用が可能である。
【００３１】
一方、図４に示されたように、前記デシカント除湿器を冬季に使用するために、前述のように構成されたデシカント除湿器のパイパスラインにバイパス加熱器２５０を設置し、必要に応じて給気ファン３００の吐出口側に給気加熱器２６０を設置してもよい。
【００３２】
この時、デシカントロータ２３０の前段に処理ダンパー４３０を設置し、デシカントロータ２３０に移動する空気の量を調節することができるようにし、処理ダンパー４３０は、バイパスダンパー４２０と連動されて作動するように設置することができる。
【００３３】
また、図５に示されたように、年中同じ湿度を提供しなければならない必要がある場合、冬季には外気湿度が低いので、室内空間の湿度が必要以上に低くなることを防止するために、バイパスラインに加湿器２７０を追加に設置し、年中同じ湿度を提供することができるようにする。
【００３４】
第１実施例に係るデシカント除湿器の作用は次の通りである。
【００３５】
まず、デシカント除湿器の起動スイッチ（不図示）により外気ダンパー４００及び換気ダンパー４１０が開いて給気ファン３００及び排気ファン３１０が作動し、デシカントロータ２３０が回転運動をするようになる。
【００３６】
次に、開放された外気ダンパー４００を介して外気空気１００が流入され、換気ダンパー４１０を介して換気空気１１０が流入され、外気空気１００と換気空気１１０とは混合されて空気フィルタ２００を通過した後、冷却コイル２１０を通過して最大１５℃〜７℃まで空気が冷却されてエレミネータ２２０を通過するようになる。
【００３７】
また、前記エレミネータ２２０を通過した空気は、デシカントロータ２３０側とバイパスライン側とに分岐され、デシカントロータ２３０側に分岐された空気は、さらに除湿区間２３０ａとパージ区間２３０ｂとに分岐される。
【００３８】
ここで、加湿器の定圧を分散して給気ファン３００及び排気ファン３１０の負荷を減少させるために、デシカントロータ２３０の前段に除湿器処理ファン３２０をさらに設置することによって、騒音発生を減少させることができる。この場合、デシカント除湿器は、室内でも使用が可能である（図３及び図５参照）。
【００３９】
この時、デシカントロータ２３０側に分岐された空気は、処理ダンパー４３０により、またバイパスライン側に分岐された空気は、バイパスダンパー４２０により風量調節を可能にすることもできる。
【００４０】
ここで、前記除湿区間２３０ａに位置するデシカントロータ２３０側を通過して常温低湿空気になった空気は、バイパスラインを通過したバイパス空気１４０と混合されて所要の温度及び湿度を有する給気空気１２０になって給気ファン３００を通じて室内空間に給気される。
【００４１】
また、パージ区間２３０ｂに位置するデシカントロータ２３０を通過した空気は、再生加熱器２４０を通過して高温になって、再生区間２３０ｃに位置するデシカントロータ２３０を通過するようになり、前記デシカントロータ２３０を通過しながら除湿された水分を除去した後、排気空気１３０になって排気ファン３１０を介して排気される。
【００４２】
ここで、本発明の除湿器を冬季に使用する場合には、前記バイパスライン及び給気ファン３００の後段に各々バイパス加熱器２５０と給気加熱器２６０を設置し、給気される給気空気１２０の温度を上昇させて室内空間に高温の空気が供給されて暖房が同時になされることができるようにする（図４及び図５参照）。
【００４３】
この時、前記給気加熱器２６０は、室内空間に給気される給気空気１２０が必要とする温度によって選択的な使用が可能である。
【実施例２】
【００４４】
（第２実施例）
次に、図６を参照して本発明の他の実施例について説明する。
【００４５】
本発明の第２実施例に係る除湿器は、前述した第１実施例とは異なって、外気空気１００の除湿効率を高めるために、分離された２つの冷却コイル２１０を使用する。
【００４６】
この場合、外気空気１００が流入されて第１空気フィルタ２００を経た後、第１冷却コイル２１０ａにより冷却され、換気空気１１０は、第２空気フィルタ２００’を経た後、第１冷却コイル２１０ａを通過した外気空気１００と混合されて第２冷却コイル２１０ｂを通過する。
【００４７】
また、図７に示されたように、冬季に暖房を兼用するために前述した図４の場合のようにバイパスラインに加熱器２５０を設置し、必要に応じて給気ファン３００の吐出口側に給気加熱器２６０を設置することができる。
【実施例３】
【００４８】
（第３実施例）
次に、図８を参照して本発明のさらに他の実施例について説明する。
【００４９】
本発明の第３実施例に係る除湿器は、夏季使用が容易にしたもので、前述した第２実施例とは異なって、換気空気１１０を別に分離して外気空気１００と換気空気１１０が各々別個の空気フィルタ２００、２００’と冷却コイル２１０ａ、２１０ｂを通過するようにして、外気空気１００と換気空気１１０が各々別に冷却された後に混合されるようにすることができる。
【００５０】
すなわち、  換気空気１１０の湿度が外気空気１００と差異が大きい場合、  外気空気１００と換気空気１１０を別に冷却しなければ除湿負荷が大きくなるので、外気空気１００と換気空気１１０とを別に冷却させた後、混合して除湿器処理ファン３２０を経て除湿区間２３０ａとパージ区間２３０ｂに位置するデシカントロータ２３０を通過するようにする。
【００５１】
この時、前記換気空気１１０は、バイパスラインに連結され、第１空気フィルタ２００、第１冷却コイル２１０ａ、エレミネータ２２０を通過した外気空気１００と、第２空気フィルタ２００’を経て第２冷却コイル２１０ｂを通過した換気空気１１０とは、連結ダンパー４４０を介して互いに混合されることができる。
【００５２】
一方、図９に示されたように、前述した第３実施例のデシカント除湿器で１つの冷却コイル２１０に外気空気１００と換気空気１１０が混合されない状態で各々通過して冷却されることができるようにして、製作費用の節減及び内部構造の簡素化を図ることができる。
【００５３】
また、図１０に示されたように、四季全て使用することができるように冬季に暖房を兼用するためにバイパスラインにバイパス加熱器２５０をさらに設置し、必要に応じて給気ファン３００の吐出口側にも給気加熱器２６０を設置することができる。
【００５４】
また、同じ湿度を提供しなければならない場合には、冬季のように外気湿度が低い時、室内空間の湿度が必要以上に低くなることを防止するために、バイパスラインに加湿器２７０を追加に設置し、年中同じ湿度を提供することができるようらにすることが好ましい。
【００５５】
一方、図１１に示されたように、デシカント除湿器に１つの冷却コイル２１０を設置し、外気空気１００と換気空気１１０を各々冷却させることができる。
【図面の簡単な説明】
【００５６】
【図１】従来技術に係るデシカント除湿器を示す図である。
【図２】本発明に係るデシカント除湿器の第１実施例を示す図である。
【図３】第１実施例に除湿器処理ファンを設置したものを示す図である。
【図４】第１実施例に加熱器を設置したものを示す図である。
【図５】加湿器を追加に設置したものを示す図である。
【図６】本発明に係るデシカント除湿器の第２実施例を示す図である。
【図７】第２実施例に加熱器を設置したものを示す図である。
【図８】本発明に係るデシカント除湿器の第３実施例を示す図である。
【図９】第３実施例に１つの冷却コイルを設置したものを示す図である。
【図１０】第３実施例に加熱器及び加湿器を設置したものを示す図である。
【図１１】図１０に１つの冷却コイルを設置したものを示す図である。
【符号の説明】
【００５７】
１００  外気空気
１１０  換気空気
１２０  給気空気
１３０  排気空気
１４０  バイパス空気
２００、２００’   空気フィルタ
２１０ａ、２１０ｂ  冷却コイル
２２０  エレミネータ
２３０  デシカントロータ
２４０  再生加熱器
３００  給気ファン
４００  外気ダンパー
【図１】
2009047405.tif 000003
【図２】
2009047405.tif 000004
【図３】
2009047405.tif 000005
【図４】
2009047405.tif 000006
【図５】
2009047405.tif 000007
【図６】
2009047405.tif 000008
【図７】
2009047405.tif 000009
【図８】
2009047405.tif 000010
【図９】
2009047405.tif 000011
【図１０】
2009047405.tif 000012
【図１１】
2009047405.tif 000013